(57)【要約】【課題】所望の開き角において十分なクリック音及びクリック感が得られるとともに、クリック音及びクリック感を発生させるか否かをユーザが切り替えることが可能なクリック機構及びこれを用いたヒンジ構造並びに折り畳み式携帯端末を提供する。【解決手段】シャフト２５にトルクを発生させるヒンジユニット１６の部品である凹カム２２と第２のヒンジ筒１１との間のクリアランスを利用してヒンジユニット１６の部品とヒンジ筒１１とを衝突させることでクリック音及びクリック感を発生させるクリック構造であって、凹カム２２と第２のヒンジ筒１１との間に所定のクリアランスが存在する第１の状態と、凹カム２２と第２のヒンジ筒１１との間に所定のクリアランスが存在しない第２の状態とを切り替えるプッシュ−プッシュスイッチ２６を有する。【選択図】図６
2009043001.tif 000002
【特許請求の範囲】
【請求項１】
軸にトルクを発生させるトルク発生手段の部品と該トルク発生手段を収容する筐体との間のクリアランスを利用して前記トルク発生手段の部品と前記筐体とを衝突させることでクリック音及びクリック感を発生させるクリック構造であって、
前記トルク発生手段の部品と前記筐体との間に所定のクリアランスが存在する第１の状態と、前記トルク発生手段の部品と前記筐体との間に所定のクリアランスが存在しない第２の状態とを切り替える切替手段を有することを特徴とするクリック構造。
【請求項２】
前記切替手段は、前記トルク発生手段の部品の位置を、前記第１の状態に対応する第１の位置と、前記第２の状態に対応する第２の位置とに前記軸に沿って変化させることを特徴とする請求項１記載のクリック構造。
【請求項３】
前記トルク発生手段の部品及び前記筐体の一方に溝が、他方にリブが設けられており、前記第１の位置と前記第２の位置とでは、前記筐体に設けられている前記溝又は前記リブの幅が異なることを特徴とする請求項２記載のクリック構造。
【請求項４】
前記第２の位置においては、前記トルク発生手段の部品又は前記筐体に設けられている前記リブの片側にのみ、前記クリアランスが存在することを特徴とする請求項３記載のクリック構造。
【請求項５】
前記トルク発生手段は前記軸に垂直な断面の形状が異なる第１の形状部と第２の形状部とを有しており、
前記第１の位置では、前記第１の形状部と前記筐体との間にクリアランスが生じ、前記第２の位置では前記第２の形状部と前記筐体との間にクリアランスが生じないことを特徴とする請求項２記載のクリック構造。
【請求項６】
前記切替手段は、プッシュ−プッシュスイッチであることを特徴とする請求項１から５のいずれか１項記載のクリック構造。
【請求項７】
前記トルク発生手段は、凸部を備えた凸カムと凹部を備えた凹カムとが、前記凸部及び前記凹部が設けられた面を向かい合わせて押し付け合わされており、前記凹部の傾斜部分に前記凸部が圧接することにより、前記軸にトルクを発生させることを特徴とする請求項１から６のいずれか１項記載のクリック構造。
【請求項８】
前記トルク発生手段は、板バネに設けられた凸部がシャフトに設けられた凹部の傾斜部分に圧接することにより、前記軸にトルクを発生させることを特徴とする請求項１から６のいずれか１項記載のクリック構造。
【請求項９】
折り畳み式機器の二つの筐体を連結するためのヒンジ構造であって、請求項１から８のいずれか１項記載のクリック構造を備えたことを特徴とするヒンジ構造。
【請求項１０】
請求項９記載のヒンジ構造を備えた折り畳み式携帯端末。
【請求項１１】
二つの筐体がヒンジを介して開閉自在に連結された折り畳み式携帯端末であって、
前記ヒンジの軸にトルクを発生させるトルク発生手段の部品と該トルク発生手段を収容するヒンジ筐体との間のクリアランスを利用して前記トルク発生手段の部品と前記ヒンジ筐体とを衝突させることでクリック音及びクリック感を発生させるクリック構造と、
前記トルク発生手段の部品と前記ヒンジ筐体との間に所定のクリアランスが存在する第１の状態と、前記トルク発生手段の部品と前記ヒンジ筐体との間に所定のクリアランスが存在しない第２の状態とを切り替える切り替え手段とを有することを特徴とする折り畳み式携帯端末。
【発明の詳細な説明】
【技術分野】
【０００１】
本発明は、クリック音及びクリック感を生じさせるためのクリック構造及びこれを用いたヒンジ構造並びに折り畳み式携帯端末に関する。
【背景技術】
【０００２】
折り畳み式携帯端末機は、開閉時に「カチッ」というクリック音及びクリック感を発生させ、ユーザに小気味の良い操作感を提供するものが少なくない。
【０００３】
現代において携帯電話機を始めとする折り畳み式携帯端末は、無くてはならないものとなっているため、静かな場所で端末を開閉させる機会も少なくない。このように、ＴＰＯによっては、クリック音を発生させない方が好ましい状況もあり得る。
【０００４】
一方で、クリック音が邪魔になる場合があることを想定して、クリック音及びクリック感を生じさせないようにした折り畳み式携帯端末もあるが、ユーザが開閉時に小気味の良さを得られない。
【０００５】
このように、「クリック音及びクリック感のある小気味の良い操作感」及び「クリック音が発生せず周囲を気にせずいつでも開閉できること」のどちらに対してもニーズがある。しかし、クリック音及びクリック感のＯＮ／ＯＦＦを切り替えられる折り畳み式携帯端末は提供されていない。
【０００６】
折り畳み式携帯端末のクリック音及びクリック感に関連する技術として、特許文献１に開示される「折り畳み式携帯端末機」がある。
特許文献１に開示される発明は、ユーザの操作によりクリック音を小さくする構造に関するものであり、クリック音を発生させるために、凸カムの先端面と凹カムの底面とを衝突させており、衝突による衝撃でクリック音を発生させている。
【特許文献１】特開２００５−６１４７０号公報
【発明の開示】
【発明が解決しようとする課題】
【０００７】
しかし、特許文献１に開示される発明は、凸カム及び凹カムが共に筐体と回転固定されているため、両カムの回転と操作筐体及び表示筐体の開閉動作とが完全に一致する。換言すると、凸カムと凹カムとの位置関係は開閉動作に伴って変化することがない。よって、勢いよく携帯端末を開閉させない限り、カムが勢い良く回転しカム同士が衝突することはない。従って、この構造では、クリック音及びクリック感が十分に得られない。
【０００８】
また、凸カムと凹カムとを完全に噛み合わせる構造であるため、必然的に操作筐体と表示筐体との開き角は１８０度に限定されてしまう。一般的な折り畳み式携帯電話端末の開き角度は１６０〜１７０度であるため、特許文献１に開示される発明は、折り畳み式携帯端末に適用するのに適さない。
【０００９】
加えて、特許文献１に開示される構造では、凸カムと凹カムとを完全に噛み合わせるため、全閉状態ではさらに閉じようとするトルクは発生しない。同様に、全開状態ではさらに開こうとするトルクは発生しない。したがって、全閉状態及び全開状態では表示筐体ががたついてしまう。
【００１０】
このように、所望の開き角において十分なクリック音及びクリック感が得られるとともに、クリック音及びクリック感を発生させるか否かをユーザが切り替えることが可能なクリック機構は実現されていなかった。
【００１１】
本発明は係る問題に鑑みてなされたものであり、所望の開き角において十分なクリック音及びクリック感が得られるとともに、クリック音及びクリック感を発生させるか否かをユーザが切り替えることが可能なクリック機構及びこれを用いたヒンジ構造並びに折り畳み式携帯端末を提供することを目的とする。
【課題を解決するための手段】
【００１２】
上記目的を達成するため、本発明は、第１の態様として、軸にトルクを発生させるトルク発生手段の部品と該トルク発生手段を収容する筐体との間のクリアランスを利用してトルク発生手段の部品と筐体とを衝突させることでクリック音及びクリック感を発生させるクリック構造であって、トルク発生手段の部品と筐体との間に所定のクリアランスが存在する第１の状態と、トルク発生手段の部品と筐体との間に所定のクリアランスが存在しない第２の状態とを切り替える切替手段を有することを特徴とするクリック構造を提供するものである。
【００１３】
本発明の第１の態様においては、切替手段は、トルク発生手段の部品の位置を、第１の状態に対応する第１の位置と、第２の状態に対応する第２の位置とに軸に沿って変化させることが好ましい。
これに加えて、トルク発生手段の部品及び筐体の一方に溝が、他方にリブが設けられており、第１の位置と第２の位置とでは、筐体に設けられている溝又はリブの幅が異なることがより好ましく、さらに加えて、第２の位置においては、トルク発生手段の部品又は筐体に設けられているリブの片側にのみ、クリアランスが存在することがより好ましい。又は、トルク発生手段は軸に垂直な断面の形状が異なる第１の形状部と第２の形状部とを有しており、第１の位置では、第１の形状部と筐体との間にクリアランスが生じ、第２の位置では第２の形状部と筐体との間にクリアランスが生じないことがより好ましい。
【００１４】
本発明の第１の態様の上記のいずれの構成においても、切替手段は、プッシュ−プッシュスイッチであることが好ましい。
【００１５】
本発明の第１の態様の上記のいずれの構成においても、トルク発生手段は、凸部を備えた凸カムと凹部を備えた凹カムとが、凸部及び凹部が設けられた面を向かい合わせて押し付け合わされており、凹部の傾斜部分に凸部が圧接することにより、軸にトルクを発生させることが好ましい。又は、トルク発生手段は、板バネに設けられた凸部がシャフトに設けられた凹部の傾斜部分に圧接することにより、軸にトルクを発生させることが好ましい。
【００１６】
また、上記目的を達成するため、本発明は、第２の態様として、折り畳み式機器の二つの筐体を連結するためのヒンジ構造であって、上記本発明の第１の態様のいずれかの構成に係るクリック構造を備えたことを特徴とするヒンジ構造を提供するものである。
【００１７】
また、上記目的を達成するため、本発明は、第３の態様として、上記本発明の第２の態様に係るヒンジ構造を備えた折り畳み式携帯端末を提供するものである。
【００１８】
また、上記目的を達成するため、本発明は、第４の態様として、二つの筐体がヒンジを介して開閉自在に連結された折り畳み式携帯端末であって、ヒンジの軸にトルクを発生させるトルク発生手段の部品と該トルク発生手段を収容するヒンジ筐体との間のクリアランスを利用してトルク発生手段の部品とヒンジ筐体とを衝突させることでクリック音及びクリック感を発生させるクリック構造と、トルク発生手段の部品とヒンジ筐体との間に所定のクリアランスが存在する第１の状態と、トルク発生手段の部品とヒンジ筐体との間に所定のクリアランスが存在しない第２の状態とを切り替える切り替え手段とを有することを特徴とする折り畳み式携帯端末を提供するものである。
【発明の効果】
【００１９】
本発明によれば、所望の開き角において十分なクリック音及びクリック感が得られるとともに、クリック音及びクリック感を発生させるか否かをユーザが切り替えることが可能なクリック機構及びこれを用いたヒンジ構造並びに折り畳み式携帯端末を提供できる。
【発明を実施するための最良の形態】
【００２０】
〔第１の実施形態〕
本発明を好適に実施した第１の実施形態について説明する。
図１に、本実施形態に係る折り畳み式携帯電話端末の構成を示す。本実施形態に係る折り畳み式携帯電話端末は、操作筐体１と表示筐体２とがヒンジ部３を介して連結された構成である。
操作筐体１は、ボタン１４が設けられた操作部を備えており、表示筐体２は、画面１５が設けられた表示部を備えている。操作筐体１と表示筐体２とを連結するヒンジ部３には、ヒンジユニット１６が内蔵されており、ヒンジユニット１６の回転軸を中心として開閉動作が可能となっている。ヒンジユニット１６は、トルク発生機構を有しており、操作筐体１と表示筐体とを所望の開き角で保持する。
【００２１】
図２に示すように、操作筐体１は、浅底の箱状に形成された第１のアッパーケース４と第１のロアーケース６とからなり、第１のプリント配線基板８を収容している。同様に、表示筐体２は、第２のアッパーケース５と第２のロアーケース７とからなり、第２のプリント配線基板９を収容している。
【００２２】
ヒンジ部３は、第１のアッパーケース４に設けられた第１のヒンジ筒１０と、第２のアッパーケース５に設けられた第２のヒンジ筒１１及び半ヒンジ筒１２と、第２のロアーケース７に設けられた半ヒンジ筒１３とによって構成されるヒンジ筒に、ヒンジユニット１６とアルファベットのＣ状断面の筒部品１７が組み込まれることによって構成される。
【００２３】
フレキシブル配線基板１８は、筒部品１７の内部を通り、第１のプリント配線板８と第２のプリント配線板９とを接続する。
【００２４】
次に、ヒンジユニット１６について説明する。一般に、折り畳み式携帯電話機に使用されているヒンジユニットは、バネの力をカム形状によって回転方向の力、すなわちトルクに変換する構造のものが多い。
図３に示すように、ヒンジユニット１６は、キャップ１９、ケース２０、凸カム２１、凹カム２２、フック２３、バネ２４、シャフト２５及びプッシュ−プッシュスイッチ２６を有する。凸カム２１とケース２０とは回転固定されている。
【００２５】
図４、図５に示すように、ケース２０には溝２７が、第１のヒンジ筒１０にはリブ３０がそれぞれ設けられている。また、凹カム２２には溝２８が、第２のヒンジ筒１１にはリブ３１がそれぞれ設けられている。ヒンジユニット１６とヒンジ筒とが嵌合した状態では、図６に示すように、ケース２０と第１のヒンジ筒１０とは、ケース２０に設けられた溝２７と第１のヒンジ筒１０に設けられたリブ３０とによって回転固定されている。また、凹カム２２と第２のヒンジ筒１１とは、凹カム２２に設けられた溝２８と第２のヒンジ筒１１に設けられたリブ３１とによって回転固定されている。なお、溝２８の幅はリブ３１の幅よりも広くなっており、数度分のクリアランスを有している。
プッシュ−プッシュスイッチ２６は、ノック式ボールペンや電化製品の電源ボタンなどに広く用いられている公知の構成を適用可能であり、軸方向に押すと数ｍｍ押し込まれた状態で止まり、再度押すと元の位置まで復帰する機能を有する。
【００２６】
クリック音及びクリック感の発生のメカニズムについて説明する。
クリック音及びクリック感は、凹カム２２がトルクによって第２のヒンジ筒１１に衝突することで発生する。図７（ａ）に示すように、凸カム２１は矢印Ａで示すバネ２４の力で凹カム２２に押し付けられており、回転時にはカム同士に摩擦力が発生する。この摩擦力が表示筐体２を操作筐体１に対して任意の開き角で保持するトルクとなる。
また、図７（ｂ）に示すように、カムの凹部３３と凸部３２とが噛み合う位置ではカムの傾斜によって、矢印Ａで示すバネ２４の力が凹カム２２を矢印Ｂで示す方向に回転させる力に変わる。矢印Ｂで示す回転する方向の力は、例えば、折り畳み式携帯電話端末を閉じる動作をしていく時に、途中で（ある程度まで閉じた時に）自ら閉じようとする力となって現れる。さらに、全閉状態、すなわち完全に閉じた状態でも、図７（ｂ）に示すように、凸カム２１と凹カム２２とが斜面の途中に位置するようにしておくことにより、さらに閉じようとするトルクが発生し続け、全閉状態でも表示筐体２ががたつかないように作用する。全開状態、すなわち完全に開いている状態であっても同様である。
【００２７】
次に、凹カム２２が第２のヒンジ筒１１に衝突する過程について説明する。
まず、操作筐体１と表示筐体２とが、図８（ａ）に示す位置関係で閉じる操作をしていく場合、凹カム２２とリブ３１とは図８（ｂ）に示す位置関係にあり、リブ３１によって凹カム２２は矢印の方向へ押されていく。この時、凸カム２１の凸部３２と凹カム２２の凹部３２とは、図９（ａ）に示す位置関係にあり、凹部３３は矢印の方向へ移動していく。そのまま閉じる動作を続けていくと、図７（ｂ）で示したように、凸カム２１と凹カム２２が噛み合う位置となり、バネ２４の力によって凹カム２２が矢印Ｂの方向に急速に移動する。
この時、図９（ｂ）に示すように、凹カム２２は矢印の方向に急速に回転し、リブ３１の反対面に衝突する。この衝突時に発生する衝撃音がクリック音であり、衝撃がクリック感である。クリック音及びクリック感を十分に発生させるためには（換言すると、凹カム２２が急速に回転するためには）、凹カム２２単体で自由に急速回転可能な空間が必要である。凹カム２２に設けられた溝２８と第２のヒンジ筒１１に設けられたリブ３１との間のクリアランスがこの空間に相当する。
【００２８】
次に、クリック音及びクリック感のＯＮ／ＯＦＦを切り替える動作について説明する。
ユーザがヒンジユニットを押すと、図１０に示すようにプッシュ−プッシュスイッチ２６が縮んでヒンジユニット１６が図中の矢印の方向にスライドする。この時、凹カム２２に設けられた溝２８は、第２のヒンジ筒１１に設けられたリブ３１の幅広の部分に移動するため、溝２８とリブ３１との間のクリアランスが無くなる。この状態では、図７（ｂ）に示す凸カム２１と凹カム２２とが噛み合う位置になった場合でも、凹カム２２は単体では急速に回転できない。従って、凹カム２２はリブ３１に衝撃を与えることがないため、クリック音はほとんど発生しない。
【００２９】
クリック音及びクリック感を発生させたい場合には、再度ヒンジユニットを押すと、プッシュ−プッシュスイッチ２６が伸びた状態に戻って凹カム２２が元の位置に復帰し、図６に示したように溝２８とリブ３１との間に再びクリアランスが生じ、クリック音及びクリック感が十分に発生しうる状態となる。
【００３０】
このように、本実施形態に係る折り畳み式携帯電話端末は、クリック音及びクリック感を発生させるか否かを切り替えられるため、ユーザの嗜好や使用環境に応じて、適切な状態で使用できる。
すなわち、普段はクリック音及びクリック感を伴う小気味良い開閉操作を行えるようにし、公共施設内や睡眠中の人の側ではクリック音を生じさせないようにすることで、ＴＰＯに合わせてクリック音及びクリック感のＯＮ／ＯＦＦを選択できる。
しかも、クリック音及びクリック感のＯＮ／ＯＦＦの切り替えは、プッシュ−プッシュスイッチ２６という公知の構成を追加することで実現できるため、製造時の組立作業が繁雑となることは無く、製造コストが大幅に上昇することもない。
【００３１】
ここでは凸カム２１をバネ２４で凹カム２２に押し付ける構成を挙げたが、凸カム２１と凹カム２２とを入れ替えて凹カム２２をバネ２４で凸カム２１に押し付けるように構成しても同様の効果が得られることは言うまでもない。
【００３２】
〔第２の実施形態〕
本発明を好適に実施した第２の実施形態について説明する。
図１１に、本実施形態に係る折り畳み式携帯電話端末の構成を示す。
第１の実施形態においてはカムを用いてヒンジ軸にトルクを発生させたが、本実施形態においては、図１１（ａ）に示すように、板バネを用いてヒンジ軸にトルクを発生させる。
【００３３】
本実施形態に係る折り畳み式携帯電話端末のヒンジユニットは、キャップ１９、ケース２０、カムシャフト３４、フック２３、板バネ３５、プッシュ−プッシュスイッチ２６を有する。
【００３４】
図１１（ｂ）に示すように、カムシャフト３４には溝３６が設けられており、板バネ３５には突起３７が設けられている。突起３７は、板バネ３５のバネ性によってカムシャフト３４に押し当てられており、第１の実施形態での溝とカムとを組み合わせと同様の働きをするため、同じようにトルクを発生させることができる。すなわち、溝３６の描く弧は突起３７が描く弧よりも大きくなっており、溝３６に嵌合した突起３７は、溝３６内を滑りながら移動するため、突起３７が溝３６の斜面の中腹にある時には（突起３７が溝３６の傾斜部分に圧接している時には）、第１の実施形態と同様にトルクが発生する。よって、全閉や全開状態において突起３７が溝３６の中腹に位置するように構成することにより、全閉状態や全開状態においてさらに閉じようとしたり開こうとするトルクを発生させられる。
【００３５】
クリック音及びクリック感の発生を切り替える機構は、第１の実施形態と同様にプッシュ−プッシュスイッチ２６を用いた構造であるため、説明は省略する。
【００３６】
本実施形態に係る折り畳み式携帯電話端末によっても、上記第１の実施形態に係る折り畳み式携帯電話端末と同様に、ユーザの嗜好や使用環境に応じて、クリック音及びクリック感のＯＮ／ＯＦＦを選択できる。
【００３７】
〔第３の実施形態〕
本発明を好適に実施した第３の実施形態について説明する。
上記第１、第２の実施形態では、クリック音及びクリック感を発生させるために、カムの溝と筐体のリブとを当てたが、当てる部品や形状は任意である。
図１２に、本実施形態に係る折り畳み式携帯電話端末のヒンジユニットの断面を示す。本実施形態においては、凹カム２２にリブ３８を設け、ヒンジ筒１１に溝３９を設けている。
【００３８】
本実施形態に係る折り畳み式携帯電話端末のヒンジユニットは、ヒンジ筒及びカムの凹凸が第１の実施形態とは逆となっている。しかし、ヒンジの回転のメカニズムやクリック音及びクリック感を発生させるか否かを切り替えるメカニズムは同様であり、カムとヒンジ筒とが急激に衝突しうる状態としない状態とを切り替えることで、クリック音及びクリック感の有無を切り替えることが可能である。
【００３９】
本実施形態に係る折り畳み式携帯電話端末によっても、上記第１の実施形態に係る折り畳み式携帯電話端末と同様に、ユーザの嗜好や使用環境に応じて、クリック音及びクリック感のＯＮ／ＯＦＦを選択できる。
【００４０】
〔第４の実施形態〕
本発明を好適に実施した第４の実施形態について説明する。
図１３に、本実施形態に係る折り畳み式携帯電話端末のヒンジユニットの断面を示す。上記第１〜第３の実施形態とは異なり、本実施形態においては、カム及びヒンジ筒には凹凸が設けられていない。
【００４１】
本実施形態において、凹カムの断面は非円形であり、ヒンジ筒の内径断面も非円形である。
【００４２】
ヒンジ筒１１の内径の形状は、軸方向の途中で変化しており、ヒンジ筒１０寄りの部分では凹カムとのクリアランスがあり、ヒンジ筒１０から離れた側では凹カムとのクリアランスが無い。
ヒンジユニットを押すことにより、プッシュ−プッシュスイッチが伸縮し、ヒンジ筒と凹カムとの間にクリアランスがある状態と無い状態とが切り替わる。これにより、クリック音及びクリック感の有無を切り替えられる。
【００４３】
本実施形態に係る折り畳み式携帯電話端末によっても、上記第１の実施形態に係る折り畳み式携帯電話端末と同様に、ユーザの嗜好や使用環境に応じて、クリック音及びクリック感のＯＮ／ＯＦＦを選択できる。
【００４４】
〔第５の実施形態〕
本発明を好適に実施した第５の実施形態について説明する。
図１４に、本実施形態に係る折り畳み式携帯電話端末のヒンジユニットの構成を示す。
本実施形態においては、凹カム２２と第２のヒンジ筒１１とは回転固定されている。一方、ケース２０の溝２７と第１のヒンジ筒１０のリブ３０との間にクリアランスが設けられており、溝２７とリブ３０とを当てる（換言すると、ケース２０とヒンジ筒１０とを衝突させる）ことによってクリック音及びクリック感を発生させる。
【００４５】
クリック音及びクリック感の発生を切り替える機構は、上記各実施形態と同様にプッシュ−プッシュスイッチを用いた構造であるため、説明は省略する。
【００４６】
本実施形態に係る折り畳み式携帯電話端末によっても、上記第１の実施形態に係る折り畳み式携帯電話端末と同様に、ユーザの嗜好や使用環境に応じて、クリック音及びクリック感のＯＮ／ＯＦＦを選択できる。
【００４７】
〔第６の実施形態〕
本発明を好適に実施した第６の実施形態について説明する。
図１５に、本実施形態に係る折り畳み式携帯電話端末のヒンジユニットの構成を示す。
本実施形態においては、第２のヒンジ筒１１のリブ３１の幅広の部分が片側に寄った構造である。すなわち、リブ３１の側面は、一方は平坦であるが他方はクランク状に折れ曲がっている。
【００４８】
ヒンジユニットは全閉状態でもさらに閉じようとするトルクを発生し続けているため、凹カム２２は全閉状態においてリブ３１に衝突した状態となっている。このため、本実施形態のようにリブ３１の幅広部分を片側に寄せることにより、全閉状態においてクリアランスが片側に寄った状態となり、ヒンジユニット１６がリブの段差の部分に引っかからず障害なく押し込めるようになる。すなわち、本実施形態に係る折り畳み式携帯電話端末のヒンジユニットは、プッシュ操作をスムーズに行えるため、クリック音及びクリック感を発生させるか否かを切り替えやすい。
【００４９】
本実施形態に係る折り畳み式携帯電話端末によっても、上記第１の実施形態に係る折り畳み式携帯電話端末と同様に、ユーザの嗜好や使用環境に応じて、クリック音及びクリック感のＯＮ／ＯＦＦを選択できる。
【００５０】
なお、上記各実施形態は本発明の好適な実施の一例であり、本発明はこれに限定されることはない。
例えば、上記各実施形態においては、折り畳み式の携帯電話端末を例としたが、本発明はこれに限定されず、折り畳み式情報端末、ヒンジ部を有するアーム類、回転式のスイッチ類等に適用可能である。
このように、本発明は様々な変形が可能である。
【図面の簡単な説明】
【００５１】
【図１】本発明を好適に実施した第１の実施形態に係る折り畳み式携帯電話端末の斜視図である。
【図２】第１の実施形態に係る折り畳み式携帯電話端末の分解斜視図である。
【図３】第１の実施形態に係る折り畳み式携帯電話端末のヒンジユニットの断面図である。
【図４】ヒンジユニット及びヒンジ筒の分解斜視図である。
【図５】ヒンジユニット及びヒンジ筒の組立前の断面図である。
【図６】ヒンジユニット及びヒンジ筒の組立後の断面図である。
【図７】ヒンジユニットがトルクを発生させるメカニズムを示す図である。
【図８】折り畳み式携帯電話端末を閉じようとする時のヒンジの状態を示す図である。
【図９】クリック音及びクリック感が発生するメカニズムを示す図である。
【図１０】クリック音及びクリック感が発生しない状態を示す図である。
【図１１】本発明を好適に実施した第２の実施形態に係る折り畳み式携帯電話端末のヒンジユニットの構成を示す図である。
【図１２】本発明を好適に実施した第３の実施形態に係る折り畳み式携帯電話端末のヒンジユニットの断面を示す図である。
【図１３】本発明を好適に実施した第４の実施形態に係る折り畳み式携帯電話端末のヒンジユニットの断面を示す図である。
【図１４】本発明を好適に実施した第５の実施形態に係る折り畳み式携帯電話端末のヒンジユニットの構成を示す図である。
【図１５】本発明を好適に実施した第６の実施形態に係る折り畳み式携帯電話端末の構成を示す図である。
【符号の説明】
【００５２】
１    操作筐体
２    表示筐体
３    ヒンジ部
４    第１のアッパーケース
５    第２のアッパーケース
６    第１のロアーケース
７    第２のロアーケース
８    第１のプリント配線基板
９    第２のプリント配線基板
１０    第１のヒンジ筒
１１    第２のヒンジ筒
１２、１３    半ヒンジ筒
１４    ボタン
１５    画面
１６    ヒンジユニット
１７    筒部品
１８    フレキシブル配線基板
１９    キャップ
２０    ケース
２１    凸カム
２２    凹カム
２３    フック
２４    バネ
２５    シャフト
２６    プッシュ−プッシュスイッチ
２７、２８、２９、３６、３９    溝
３０、３１、３８    リブ
３２    凸部
３３    凹部
３４    カムシャフト
３５    板バネ
３７    突起
【図１】
2009043001.tif 000003
【図２】
2009043001.tif 000004
【図３】
2009043001.tif 000005
【図４】
2009043001.tif 000006
【図５】
2009043001.tif 000007
【図６】
2009043001.tif 000008
【図７】
2009043001.tif 000009
【図８】
2009043001.tif 000010
【図９】
2009043001.tif 000011
【図１０】
2009043001.tif 000012
【図１１】
2009043001.tif 000013
【図１２】
2009043001.tif 000014
【図１３】
2009043001.tif 000015
【図１４】
2009043001.tif 000016
【図１５】
2009043001.tif 000017